(57)【要約】【課題】限られた貯水量の洗浄タンクにおいても、ポンプ式給水が不具合なく、素早く快適な洗浄特性を確保した簡易トイレを提供することを目的とする。【解決手段】止水弁１５を貯湯タンク１３の下流側に設けることにより、洗浄中は、止水弁１５内の弁軸１６にポンプ１０駆動により発生した圧力により、バネ１７は圧縮され弁部を開く圧力が加わり、洗浄停止時は、バネ１７の反力により、貯湯タンク１３内に反対方向の圧力を生じ、ポンプ１０側に洗浄水２３が戻される。よってポンプ１０内に常に洗浄水２３が満たされ、次の動作時に素早く洗浄水２３が搬送され、洗浄できるものである。【選択図】  図２
2004305622.tif 000002
【特許請求の範囲】
【請求項１】
便器上に載置した本体と、前記本体の外部に設けた貯水タンクとを備え、前記貯水タンクから前記本体内に水を給水するポンプと、前記ポンプにより給水された水を温めて保温する貯湯タンクと、前記貯湯タンクの温水を洗浄水として人体局部に向けて噴出するノズルとを前記本体内に備え、前記貯湯タンクの下流にバネ式の止水弁を設けた簡易トイレ装置。
【請求項２】
貯水タンクは、貯水容量が限られた請求項１に記載の簡易トイレ装置。
【発明の詳細な説明】
【０００１】
【発明の属する技術分野】
本発明は、簡易トイレ装置に関するもで、特に人体の局部を温水で洗浄する局部洗浄装置を搭載した簡易トイレに関するものである。
【０００２】
【従来の技術】
高齢化が進む今日において、通常のトイレが使えず、居間で簡易的なトイレ装置を使用するケースが増加している。特に高齢者においては、用便後の清潔性を保つことが重要となるため、人体の局部を温水により洗浄する局部洗浄装置を搭載した簡易トイレ装置の需要も伸びてきている。ここで、居間では水道水の水圧が利用できないため、洗浄水の給水および噴出をポンプにより行う必要がある。従来の局部洗浄装置付きトイレ装置は、洗浄水の給水および噴出を水道水の水圧を利用する方式や、ポンプを用いる方式があったが、ポンプを用いる方式においては、洗浄水の止水は電磁弁を用いたものが一般的であった（例えば特許文献１参照）。図５は、前記特許文献１に記載された従来のトイレ装置の洗浄水回路図を示すものである。
【０００３】
図５において、貯水タンク１０１からポンプ１０２により給水された水は、貯湯タンク１０３に送られ、温められる。温められた湯は洗浄水としてノズル１０４から噴出して人体の局部を洗浄する。ここで、洗浄水の止水はポンプ１０２を停止するとともに、電磁弁１０５を閉止して確実な止水を行う。
【０００４】
【特許文献１】
特開昭６１−４９０４５号公報（第１項  図１）
【０００５】
【発明が解決しようとする課題】
しかしながら前記従来の構成では、簡易トイレ装置として使用すると、貯水タンクが空になった場合（居間に持ち込める貯水タンクの容量に制限があるため、使用中に空になるケースが多い）、洗浄水回路に空気が混入し、次に使用する時にポンプ駆動部に空気が混入し、いわゆるエア噛みによるポンプ吸水能力の低下が生じる。こうなると洗浄水が噴出するまでに時間がかかり、使い勝手が悪くなると言う課題を有していた。また、特に簡易トイレにおいては貯水タンクを簡易トイレの給水口よりも下方に設置することが多いが、この場合はさらに空気の混入の傾向が強くなると言う課題も有していた。
【０００６】
【課題を解決するための手段】
前記従来の課題を解決するために本発明の簡易トイレ装置は、貯湯タンクの下流にバネ式の止水弁を設けたものであり、ポンプ停止による洗浄水停止時にバネ式の止水弁の上流の内圧が高くなり、ポンプ側に洗浄水が戻され、ポンプ内に洗浄水が充填され、貯水タンクが空になっても吸水能力が確保され、洗浄水が噴出するまでに時間がかかって使い勝手が悪くなることを防ぐことができる。
【０００７】
【発明の実施の形態】
請求項１に記載の発明は、便器上に載置した本体と、本体の外部に設けた貯水タンクとを備え、貯水タンクから本体内に水を給水するポンプと、ポンプにより給水された水を温めて保温する貯湯タンクと、貯湯タンクの温水を洗浄水として人体局部に向けて噴出するノズルとを本体内に備え、貯湯タンクの下流にバネ式止水弁を設けたものである。そして、ポンプ停止による洗浄水停止時にバネ式の止水弁の上流の内圧が高くなり、ポンプ側に洗浄水が戻され、ポンプ内に洗浄水が充填され、貯水タンクが空になっても吸水能力が確保される。
【０００８】
請求項２に記載の発明は、貯水タンクは、貯水容量が限られたものである。そして、簡易トイレ装置の貯水タンクは通常のトイレの貯水タンク（便器洗浄用のタンク）に比べて容量が少ないため、貯水タンクが空になってもポンプ側に洗浄水が戻され、ポンプ内に洗浄水が充填されることにより吸水能力が確保される。
【０００９】
【実施例】
以下本発明の実施例について、図面を参照しながら説明する。
【００１０】
（実施例１）
図１は、本発明の第１の実施例における簡易トイレ装置の全体斜視図を示すものであり。図２は簡易トイレ装置の洗浄水回路図であり、図３は止水弁の開時動作断面図であり、図４は止水弁の閉時断面図である。
【００１１】
図１〜４において、便器２上に載置された本体１の操作部８を操作すると、モーター９が回転し、それに連動してポンプ１０が駆動し、貯水タンク３の水２２を給水口４から吸い込み、水路ａ５から本体の給水接続部６、水路ｂ７、を通り、ポンプ１０内に洗浄水が浸入し、更にポンプ駆動によって、水２２が搬送され、水路ｃ１１から、温水を作るヒーター１２を内蔵した貯湯タンク１３に水圧がかかり、貯湯タンク１３内で温められたお湯は洗浄水として、水路ｄ１４を通り、止水弁１５内の弁軸１６を押し、バネ１７が圧縮され弁部が開き、水路ｅ１８を通り、切り替え機能を持った流調弁１９により、おしりノズル２０へ温められた洗浄水２３が搬送され、おしりノズル２０の先端から、人体の局部に向って温められた洗浄水２３が噴出される。ビデノズル２１を使う時は、本体１の操作部２５によって操作し、流調弁１９によって水路が切り替わり、同じ一連の動作を繰り返し、ビデ側の洗浄を行う。また、洗浄動作を停止は、本体操作部２６を操作するとモーター９の回転が停止し、ポンプ１０の駆動も停止し、止水弁１５内の通路に圧力がかからなくなり、弁部が閉止され、洗浄水が止水される。
【００１２】
このように、本実施例では、止水弁１５を貯湯タンク１３の下流側に設けることにより、洗浄中は、止水弁１５内の弁軸１６にポンプ１０駆動により発生した圧力により、バネ１７は圧縮され弁部を開く圧力が加わり、洗浄停止時は、バネ１７の反力により、貯湯タンク１３内に反対方向の圧力を生じ、ポンプ１０側に洗浄水２３が戻される。よってポンプ１０内に常に洗浄水２３が満たされ、次の動作時に素早く洗浄水２３が搬送され、洗浄できるものである。
【００１３】
また本実施例では、止水弁１５が貯湯タンク１３の下流側に位置しているためポンプ１０内の潤滑用の油や異物が流出しても、貯湯タンク内で水と異物に分離されるため、止水弁１５内の弁軸１６シール部に油や異物が混入しないので気密性が確保でき、止水特性が安定する。
【００１４】
また本実施例では、洗浄ノズルをおしりノズル２０とビデノズル２１と個々に設け、止水と切り替えは、共通の１つの流調弁１９で構成しているため、止水弁１５も１つで構成されるので、小型で簡素化ができ、本体１内に広い空間を必要とせずに搭載することができる。
【００１５】
また本実施例では、簡易トイレとして用いる場合に、例えば介護用としては、居間で使用されるため、水道水を直に給水することは困難である。そのため貯水量を限定した貯水タンク３を設けなければならない。よって使用時に洗浄水の限定量を超え貯水タンク３は空になっても、ポンプ１０内にエア噛みを起すこともなく、素早く快適な人体局部洗浄を行うことができる。
【００１６】
【発明の効果】
以上のように、本発明によれば、貯湯タンクの下流側にバネ式の止水弁を設けたことによって、ポンプ内に常に洗浄水が満たされ、常に素早い洗浄水噴出が可能となる。
【図面の簡単な説明】
【図１】本発明の実施例１における簡易トイレ装置の全体斜視図
【図２】本発明の実施例１における簡易トイレ装置の洗浄水回路図
【図３】本発明の実施例１における止水弁の開時動作断面図
【図４】本発明の実施例１における止水弁の閉時断面図
【図５】従来のトイレ装置の断面図
【符号の説明】
１  本体
２  便器
３  貯水タンク
１０  ポンプ
１３  貯湯タンク
１５  止水弁
２０  おしりノズル
２１  ビデノズル
【図１】
2004305622.tif 000003
【図２】
2004305622.tif 000004
【図３】
2004305622.tif 000005
【図４】
2004305622.tif 000006
【図５】
2004305622.tif 000007